(57)【要約】      （修正有）【課題】揺動及び振動のダブルの運動体験を達成することを目的とする揺動及び振動する運動器具を提供する。【解決手段】運動器具は、ベース１及び載置台６を含み、載置台の両側の中間位置がベース上に枢着されている。またベースには、モーター２及び第一伝動装置３と第二伝動装置４が設置され、モーターは第一伝動装置を駆動させ、第一伝動装置は第二伝動装置を駆動させる。さらに第二伝動装置は載置台と連結し、載置台が揺動を行うようにする。第一伝動装置はベースに振動機能を発生させるようにする。この組み合わせにより、振動運動と揺動運動を有することで、運動器具に振動と揺動のダブルの体験機能を持たせ、これにより揺動運動と振動運動の双方を盛り込んだ運動体験ができる。【選択図】図１
0003231045.tif 000002
【実用新案登録請求の範囲】
【請求項１】
揺動及び振動する運動器具であって、ベースと載置台を含み、使用者が載置台上に立って揺動及び振動の体験運動を行うのに用いられ、前記ベースが枠組み体であり、枠組み体は順に第一側辺位置、中間位置、第二側辺位置に区分され、前記ベースの中間位置の両側にはそれぞれ第一支持具と第二支持具が設置され、前記載置台の側辺には軸が設置され、そのうち、前記ベースには、
ベースの第一側辺位置に設置されているモーターと、
ベースの中間位置の近くに設置され、第一軸杆を含み、当該第一軸杆の一端は第一回転輪が組み付けられ、またその中間位置の近くもしくは相対するもう一端には少なくとも一つの第一偏心輪が設置され、前記モーターが第一ベルトによって第一回転輪と連結されている第一伝動装置と、  
ベースの第二側辺位置に設置され、第二軸杆を含み、当該第二軸杆の一端は第二回転輪が組み付けられ、またその中間位置の近くには第二偏心輪が組み付けられ、当該第二偏心輪の外部には連結部が套設され、当該連結部の上方には軸受が組み付けられ、また当該軸受は前記載置台の軸に軸接し、さらに前記第一回転輪が第二ベルトによって第二回転輪と連結されている第二伝動装置とが設置されており、
また、前記載置台の両側の中間位置の相対する端部には第一枢着部と第二枢着部が備えられ、第一枢着部と第二枢着部はベースの両側の中間位置の相対する両端に枢設され、これにより前記載置台が第二偏心輪によって動く時、同時に軸受を通じて軸に連結し、さらに載置台を駆動させ、ベースの片側において前記第一支持具と第二支持具を中心として枢動する軸線が揺動運動を行い、
さらに、前記モーターが第一伝動装置を駆動して振動を発生させ、同時に第二伝動装置を駆動して載置台に動力を伝えて揺動させ、前記第一伝動装置が振動力を発生させてベースを通じて使用者に伝達し、さらに前記第二伝動装置は載置台に動力を伝えて揺動運動を起こさせ、かつ前記載置台から使用者の脚に送られ、使用者の身体を伸ばす、揺動及び振動する運動器具。
【請求項２】
前記モーターの第一輪軸に相対して延在する他の一端が第二輪軸であり、また前記第一軸杆の末端には第三回転輪が設置され、さらに前記第二輪軸には第三ベルトが套設され、当該第三ベルトは第三回転輪に連結し嵌合している、請求項１に記載の揺動及び振動する運動器具。
【請求項３】
前記第一回転輪、第二輪軸、又は第二回転輪には単方向の軸受を設置可能であり、前記モーターが選択された方向の回転を行う時、最初に前記第一回転輪、第二輪軸、又は第二回転輪を選択して駆動させ回転させることが可能な、請求項１に記載の揺動及び振動する運動器具。
【請求項４】
前記モーターはベースの第一側辺位置に設置され、前記第一伝動装置はベースの第一側辺位置の近くに設置され、前記第二伝動装置はベースの中間位置の近くに設置され、また前記載置台は少なくとも三本の脚部を有し、当該脚部は弾性材質であり、それぞれ対応するベースの端辺に組み付けられ、これにより前記第一伝動装置はベースの振動機能を提供し、前記第二伝動装置は載置台が上下振動機能を呈するように動かす、請求項１に記載の揺動及び振動する運動器具。
【請求項５】
前記第三回転輪は、偏心輪として第二偏心輪と置換が可能である、請求項１に記載の揺動及び振動する運動器具。
【請求項６】
前記第三回転輪に単方向の軸受を設置可能であり、前記モーターが選択された方向の回転を行う時、最初に前記第三回転輪の駆動を選択するか、又は駆動させないことが可能な、請求項２に記載の揺動及び振動する運動器具。
【考案の詳細な説明】
【技術分野】
【０００１】
本考案の揺動及び振動する運動器具は、受動的運動器具に関し、揺動及び振動を利用して伝動し、全身に運動体験を提供する装置である。
【背景技術】
【０００２】
既存の振動運動器具は、米国特許第５７９７８５９号明細書のように、回転及び振動式マッサージ運動を発生させるマッサージ装置である。モーターを採用することにより、こういったマッサージ運動を発生させるマッサージ器において、モーターが歯車構造を駆動させ、少なくとも１つの回転子構造と結合することにより回転運動を引き起こし、上記回転機構には偏心錘及びクラッチ系統を含み、モーターが第一方向の回転出力を発生させる時、上記クラッチ系統は偏心錘を駆動して回転子構造を操作し、また偏心錘を操作し、さらに回転及び振動マッサージの組み合わせ運動の実現を可能にする。
【０００３】
しかし、これらの既知の技術は、モーターの歯車伝動を利用し、さらに伝動により偏心錘を作動させて振動を発生させるが、運動器具に単一の振動運動を与えるのみであり、またその伝動過程において作動の不具合及び大きな騒音を発生させる。
【先行技術文献】
【特許文献】
【０００４】
【特許文献１】米国特許第５７９７８５９号明細書
【考案の概要】
【考案が解決しようとする課題】
【０００５】
本考案は、モーターの駆動を利用し、さらにベルトを経由して車輪が二組の伝動装置を動かすというものであり、シーソー式の揺動及び振動のダブルの運動体験を達成することを目的としている。
【課題を解決するための手段】
【０００６】
本考案は、揺動式及び振動式の運動器具を提供する。これには、ベース及びベース上に枢設された載置台を含む上記載置台上に使用者が立ち、運動器具が発生させた揺動及び振動によって二つの重要な異なる振幅を発振し、器具の振動によって使用者の身体を振動させて影響を与えることでその筋肉を収縮させる。この類の振動運動は、我々が歩行過程において当面する神経筋肉反応を補い、又は模倣したものである。
【０００７】
載置台のリズミカルな揺動及び振動運動が二本の脚から身体の頂部に到達するにつれ、胴体の前部及び胴体の全ての骨盤と主要な筋肉を活性化し、このことが使用者が酸素を体内に取り込む手助けとなり、また受動的な筋肉の振動によって、筋肉群の運動効果を高める。
【０００８】
上記運動器具は、ベース及び載置台により構成され、上記ベースにはモーター及び第一伝動装置と第二伝動装置が設置されており、上記モーターは第一ベルトにより第一伝動装置と連結され、上記第一伝動装置は第二ベルトにより第二伝動装置と連結されている。また上記第二伝動装置は、上記載置台と連結されている。さらに、上記載置台の中心位置の両側にそれぞれ第一枢着部と第二枢着部が備えられており、当該第一枢着部と第二枢着部はそれぞれ対応するベース中間位置の両側辺に枢着され、これにより上記第二伝動装置が上記載置台と連結されるため、載置台がシーソー式揺動を行うようにすることが可能となる。また上記モーターはベースの第一側辺位置に設置され、上記第一伝動装置はベースの中間位置の近くに設置され、上記第二伝動装置はベースの第二側辺位置に設置されており、上記モーターは第一伝動装置と第二伝動装置を同時に駆動させ伝動を行う。そして、上記第一伝動装置は駆動されることにより振動を発生し、上記第二伝動装置は駆動されることにより揺動を発生するため、同時に振動運動と揺動運動を発生させることにより、運動器具に揺動及び振動というダブルの体験機能を持たせることができる。
【図面の簡単な説明】
【０００９】
【図１】本考案のベースと載置台の分解図である。
【図２】本考案の組立図である。
【図３】本考案の上面概略図である。
【図４】本考案の側面概略図である。
【図５】本考案のもう１つの実施例の概略図である。
【考案を実施するための形態】
【実施例１】
【００１０】
図１から図４までを参照されたい。これらの図に示したように、上記運動器具は枠組み体としてベース１と載置台６を含み、枠組み体の中にモーター２及び第一伝動装置３と第二伝動装置４が設置されており、上記モーター２は上記第一伝動装置３と第二伝動装置４を動かすのに用いられる。また図３と図４に示したように、上記ベース１の枠組み体は順に第一側辺位置Ａ、中間位置Ｂ、第二側辺位置Ｃに区分され、上記モーター２はベース１の第一側辺位置Ａに設置され、上記第一伝動装置３はベース１の中間位置Ｂの近くに設置され、ベース１の第二側辺位置Ｃには一組の受座１ａ、１ｂが備えられ、当該受座１ａ、１ｂは上記第二伝動装置４に組み付けられている。また上記ベース１の中間位置Ｂの両側にはそれぞれ第一支持具１１と第二支持具１２が設置されている。さらに、上記載置台６は枠型構造であり、枠型の両側の中間位置にそれぞれ第一枢着部６１と第二枢着部６２を有し、当該第一枢着部６１と第二枢着部６２がベース１の第一支持具１１と第二支持具１２と結合することにより、上記載置台６はシーソー式揺動を行うことが可能となる。また上記載置台６の側辺には軸６３が設置されている。さらに、上記第一伝動装置３は第一軸杆３２を含み、当該第一軸杆３２の両端はベース１の中間位置Ｂの近くの両側に設置されている。また上記第一軸杆３２には順に第一回転輪３１、少なくとも一つの第一偏心輪３３と第三回転輪３４が組み付けられている。また上記第二伝動装置４は第二軸杆４２を含み、当該第二軸杆４２は受座１ａ、１ｂに枢設され、その一端には第二回転輪４１が組み付けられ、もう一端は受座１ａを貫通して第二偏心輪４４が組み付けられ、当該第二偏心輪４４は連結部４３によって包囲され、当該連結部４３は上記第二偏心輪４４の上方に位置し、軸受４５が組み付けられ、当該軸受４５は上記載置台６の軸６３に枢設されている。また、上記モーター２の第一輪軸２１は第一ベルト２１１と嵌合し第一回転輪３１と連結し嵌合している。上記第一回転輪３１の第三輪軸３１ａは第二ベルト３１１と嵌合することにより第二回転輪４１と連結している。さらに、上記第一軸杆３２は、上記第一回転輪３１と少なくとも一つの第一偏心輪３３と第三回転輪３４と軸接し、かつ上記第一軸杆３２の両端はベース１の中間位置Ｂの両側に枢設されている。また上記第二軸杆４２は、上記第二回転輪４１と第二偏心輪４４と軸接している。また、上記モーター２の第一輪軸２１に相対して延在する他の一端は第二輪軸２２であり、当該第二輪軸２２には第三ベルト２２１が套設され、当該第三ベルト２２１は第三回転輪３４に連結し嵌合している。これによりモーター２が回転を開始すると、第一輪軸２１が第一ベルト２１１を通じて第一回転輪３１に伝動して回転させ、また当該第一回転輪３１が回転すると同時に第三輪軸３１ａが第二ベルト３１１を通じて第二回転輪４１を動かして回転させ、当該第二回転輪４１が回転すると、第二軸杆４２が第二偏心輪４４に動力を伝え、当該第二偏心輪４４の偏心作用により、連結部４３が上下作動を呈するように動かされるようにし、相対する連結部４３上端の軸受４５が載置台６の側辺を推したり支えたりするように動かし、同時に載置台６を駆動させることによりベース１の第一支持具１１と第二支持具１２を中間支点とし、ベース１の片側において上下動作を行う中心で軸線を枢動させて揺動運動を行い、シーソー式のような揺動を呈する。同時に第一回転輪３１と第三回転輪３４が第一偏心輪３３に動力を伝えて回転させることで偏揺力を発生させてベース１に還元して振動機能を発生させる。上記を要約すると、モーター２が同時に第一伝動装置３と第二伝動装置４を駆動させ、さらに振動運動と揺動運動を発生させることで、運動器具に振動と揺動のダブルの体験機能を持たせることを達成する。
【００１１】
また上記第一回転輪３１、第三回転輪３４又は第二輪軸２２、第二回転輪４１のうち、いずれかに単方向の軸受を設置可能であり、これにより上記モーター２が選択された正転又は反転方向に回転する時、最初に上記第一回転輪３１又は第三回転輪３４又は第二輪軸２２又は第二回転輪４１を選択して駆動させて回転させることが可能となる。
【００１２】
また上記第三回転輪３４は、偏心輪として第二偏心輪４４と置換可能である。
【実施例２】
【００１３】
図５は、本考案のもう一つの実施例である。上記モーター２はベース１の第一側辺位置Ａに設置され、上記第一伝動装置３はベース１の第一側辺位置Ａの近くに設置され、上記第二伝動装置４はベース１の中間位置Ｂの近くに設置されている。また、上記載置台６は少なくとも三本の脚部を有し、本実施例においては、四本の脚部６４、６５、６６、６７を備えている。上記四本の脚部６４、６５、６６、６７は弾性材質であり、それぞれ対応するベース１の端辺に組み付けられている。これにより上記第一伝動装置３はベースの振動機能を提供し、上記第二伝動装置４は載置台６が上下振動機能を呈するように動かす。
【００１４】
本考案の開示内容は、各種修正及び置換形式の実施が容易ではあるが、特定の例示性の実施例については既に図の中に例示方式により示しており、かつ本文中に詳細な説明を行っており、本考案開示の精神及び範囲内に収まるすべての修正と同等の形式及び置換形式についても包含するものである。
【符号の説明】
【００１５】
１      ベース
１ａ    受座
１ｂ    受座
１１    第一支持具
１２    第二支持具
２      モーター
２１    第一輪軸
２１１  第一ベルト
２２    第二輪軸
２２１  第三ベルト
３      第一伝動装置
３１    第一回転輪
３１ａ  第三輪軸
３１１  第二ベルト
３２    第一軸杆
３３    第一偏心輪
３４    第三回転輪
４      第二伝動装置
４１    第二回転輪
４２    第二軸杆
４３    連結部
４４    第二偏心輪
４５    軸受
６      載置台
６１    第一枢着部
６２    第二枢着部
６３    軸
６４    脚部
６５    脚部
６６    脚部
６７    脚部
Ａ      第一側辺位置
Ｂ      中間位置
Ｃ      第二側辺位置
【図１】
0003231045.tif 000003
【図２】
0003231045.tif 000004
【図３】
0003231045.tif 000005
【図４】
0003231045.tif 000006
【図５】
0003231045.tif 000007
【手続補正書】
【提出日】令和2年12月14日(2020.12.14)
【手続補正１】
【補正対象書類名】実用新案登録請求の範囲
【補正対象項目名】全文
【補正方法】変更
【補正の内容】
【実用新案登録請求の範囲】
【請求項１】
揺動及び振動する運動器具であって、ベースと載置台を含み、使用者が載置台上に立って揺動及び振動の体験運動を行うのに用いられ、前記ベースが枠組み体であり、枠組み体は順に第一側辺位置、中間位置、第二側辺位置に区分され、前記ベースの中間位置の両側にはそれぞれ第一支持具と第二支持具が設置され、前記載置台の側辺には軸が設置され、そのうち、前記ベースには、
ベースの第一側辺位置に設置されているモーターと、
ベースの中間位置の近くに設置され、第一軸杆を含み、当該第一軸杆の一端は第一回転輪が組み付けられ、またその中間位置の近くもしくは相対するもう一端には少なくとも一つの第一偏心輪が設置され、前記モーターが第一ベルトによって第一回転輪と連結されている第一伝動装置と、
ベースの第二側辺位置に設置され、第二軸杆を含み、当該第二軸杆の一端は第二回転輪が組み付けられ、またその中間位置の近くには第二偏心輪が組み付けられ、当該第二偏心輪の外部には連結部が套設され、当該連結部の上方には軸受が組み付けられ、また当該軸受は前記載置台の軸に軸接し、さらに前記第一回転輪が第二ベルトによって第二回転輪と連結されている第二伝動装置とが設置されており、
また、前記載置台の両側の中間位置の相対する端部には第一枢着部と第二枢着部が備えられ、第一枢着部と第二枢着部はベースの両側の中間位置の相対する両端に枢設され、これにより前記載置台が第二偏心輪によって動く時、同時に軸受を通じて軸に連結し、さらに載置台を駆動させ、ベースの片側において前記第一支持具と第二支持具を中心として枢動する軸線が揺動運動を行い、
さらに、前記モーターが第一伝動装置を駆動して振動を発生させ、同時に第二伝動装置を駆動して載置台に動力を伝えて揺動させ、前記第一伝動装置が振動力を発生させてベースを通じて使用者に伝達し、さらに前記第二伝動装置は載置台に動力を伝えて揺動運動を起こさせ、かつ前記載置台から使用者の脚に送られ、使用者の身体を伸ばす、揺動及び振動する運動器具。
【請求項２】
前記モーターの第一輪軸に相対して延在する他の一端が第二輪軸であり、また前記第一軸杆の末端には第三回転輪が設置され、さらに前記第二輪軸には第三ベルトが套設され、当該第三ベルトは第三回転輪に連結し嵌合している、請求項１に記載の揺動及び振動する運動器具。
【請求項３】
前記第一回転輪、第二輪軸、又は第二回転輪には単方向の軸受を設置可能であり、前記モーターが選択された方向の回転を行う時、最初に前記第一回転輪、第二輪軸、又は第二回転輪を選択して駆動させ回転させることが可能な、請求項１に記載の揺動及び振動する運動器具。
【請求項４】
前記モーターはベースの第一側辺位置に設置され、前記第一伝動装置はベースの第一側辺位置の近くに設置され、前記第二伝動装置はベースの中間位置の近くに設置され、また前記載置台は少なくとも三本の脚部を有し、当該脚部は弾性材質であり、それぞれ対応するベースの端辺に組み付けられ、これにより前記第一伝動装置はベースの振動機能を提供し、前記第二伝動装置は載置台が上下振動機能を呈するように動かす、請求項１に記載の揺動及び振動する運動器具。
【請求項５】
前記第三回転輪は、偏心輪として第二偏心輪と置換が可能である、請求項２に記載の揺動及び振動する運動器具。
【請求項６】
前記第三回転輪に単方向の軸受を設置可能であり、前記モーターが選択された方向の回転を行う時、最初に前記第三回転輪の駆動を選択するか、又は駆動させないことが可能な、請求項２に記載の揺動及び振動する運動器具。